(57)【特許請求の範囲】
【請求項１】
地図式の表示部を有する地図式表示盤において、
開口部を有する筐体と；
透明の保護板とともに上記開口部に配置され、地図表示されている地図シートであって、上記地図における所定の位置に表示灯が表示されている地図シートと；
上記地図シートの背面側に配置されている取付板であって、上記地図シートに表示されている表示灯の位置に対応する位置に表示灯が取り付けられている取付板と；
リングの外周から中心方向に向かって遮光率が次第に低くなり、上記リングの外周は光漏れを防止可能な濃度を具備するリングである光漏れ防止リングであって、上記地図シートに印刷されている地図において表示灯が表示されている表示位置に設けられている光漏れ防止リングと；
を有することを特徴とする地図式表示盤。
【請求項２】
請求項１において、
上記光漏れ防止リングの外径は、上記表示灯の外径よりも大きく、かつ、上記取付板に取り付けられている表示灯の発光領域が、上記光漏れ防止リングの外周部よりも内側となるように設定され、
また、上記光漏れ防止リングの内周部は、上記表示灯の外径よりも大きく、かつ、上記内周部の内側に、上記取付板に取り付けられている表示灯が位置することを特徴とする地図式表示盤。
【請求項３】
地図式の表示部を有する地図式表示盤において、
開口部を有する筐体と；
透明の保護板とともに上記開口部に配置され、地図表示され、上記地図における所定の位置に表示灯が表示されている地図シートと；
中心から放射方向に向かって、遮光率が次第に高くなっているマークである表示灯マークと；
上記地図シートの背面側に配置されている取付板であって、上記地図シートに表示されている表示灯マークの位置に対応する位置に表示灯が取り付けられ、上記表示灯マークの中心部が、上記表示灯の発光領域内に位置するように、上記表示灯を取り付けている取付板と；
を有することを特徴とする地図式表示盤。
【請求項４】
請求項３において、
上記表示灯マークの中心は、着色されていないか、または、薄い白色系であることを特徴とする地図式表示盤。
【請求項５】
地図式の表示部を有する地図式表示盤を製造する方法において、
透明の保護板とともに開口部に配置され、地図表示される地図シートであって、上記地図における所定の位置に表示灯が表示される地図シートを、パソコンで編集して所定のシートにプリンタで印刷して作成する地図シート作成工程と；
上記地図シートの背面側に配置される取付板であって、上記地図シートに表示されている表示灯の位置に対応する位置に表示灯を取り付ける表示灯取付工程と；
リングの外周から中心方向に向かって遮光率が次第に低くなり、上記リングの外周は光漏れを防止可能な濃度を具備するリングである光漏れ防止リングを、上記地図シートに印刷されている地図において表示灯が表示されている表示位置に取り付ける光漏れ防止リング取付工程と；
を有することを特徴とする地図式表示盤の製造方法。
【請求項６】
地図式の表示部を有する地図式表示盤の製造方法において、
透明の保護板とともに開口部に配置され、地図表示され、上記地図における所定の位置に表示灯が表示される地図シートを、パソコンで編集して所定のシートにプリンタで印刷して作成する地図シート作成工程と；
上記地図シートの背面側に配置されている取付板であって、中心から放射方向に向かって遮光率が次第に高い表示灯マークであって上記地図シートに表示される表示灯マークの位置に対応する位置に表示灯を取り付ける表示灯取付工程と；
上記地図シートに表示されている上記表示灯マークの中心部が、上記表示灯の発光領域内に位置するように、上記地図シートの背面側に配置されている取付板に上記表示灯を取り付ける表示灯取付工程と；
を有することを特徴とする地図式表示盤の製造方法。
【請求項７】
請求項５において、
上記光漏れ防止リングの外径は、上記表示灯の外径よりも大きく、かつ、上記取付板に取り付けられている表示灯の発光領域が、上記光漏れ防止リングの外周部よりも内側となるように設定され、
また、上記光漏れ防止リングの内周部は、上記表示灯の外径よりも大きく、かつ、上記内周部の内側に、上記取付板に取り付けられている表示灯が位置することを特徴とする地図式表示盤の製造方法。
【発明の詳細な説明】
【技術分野】
【０００１】
本発明は、地図式の表示部を有する火災受信機等の表示盤に関する。
【背景技術】
【０００２】
従来の警報地図表示式制御機器として、盤面の開口部に設けられているアクリル板の窓板に、地図を印刷した地図シートを貼り付け、表示灯を背面に配置して表示する機器が知られている（たとえば、特許文献１参照）。
【特許文献１】特許第２９２０７５７号公報
【発明の開示】
【発明が解決しようとする課題】
【０００３】
しかし、地図シートにおいて、火災感知器を表示する位置に、火災感知器を示す円形マークを表示し、上記地図シートの裏側にＬＥＤを配置し、この円形マークをＬＥＤで照らす場合、ＬＥＤからの光が広がり、上記円形マークから外れ、上記円形マーク以外の位置までを照らすことがある。
【０００４】
この場合、円形マーク以外の位置を照らさないようにするために、ＬＥＤの光量を減らすことが考えられる。しかし、ＬＥＤの光量を減らすと、火災感知器を示す上記円形マークを人が認識するに充分な光を得ることができないことがあるという問題がある。
【０００５】
また、上記従来例では、ＬＥＤの取り付け位置が、上記円形マークの中心からずれた場合、上記円形マークの中心よりもずれた位置の輝度が高くなり、円形が歪に感じられ、外観上にも問題がある。
【０００６】
上記問題は、ランプ等、ＬＥＤ以外の表示灯を使用した場合にも発生する問題である。
【０００７】
本発明は、ＬＥＤ等の表示灯からの光が、火災感知器等を示す円形マーク等のマーク以外の位置を照らさないようにすることができ、しかも、表示灯の光量を減らす必要がなく、火災感知器等を示す円形マーク等のマークを人が認識するに充分な光を得ることができる地図式表示盤を供することを目的とするものである。
【０００８】
また、本発明は、ＬＥＤ等の表示灯の取り付け位置が、火災感知器等を示す円形マーク等のマークの中心から多少ずれても、ＬＥＤ等の表示灯の取付位置がずれていることが目立たない地図式表示盤を提供することを目的とするものである。
【課題を解決するための手段】
【０００９】
本発明は、地図式の表示部を有する地図式表示盤において、開口部を有する筐体と、透明の保護板とともに上記開口部に配置され、地図表示されている地図シートであって、上記地図における所定の位置に表示灯が表示されている地図シートと、上記地図シートの背面側に配置されている取付板であって、上記地図シートに表示されている表示灯の位置に対応する位置に表示灯が取り付けられている取付板と、リングの外周から中心方向に向かって遮光率が次第に低くなり、上記リングの外周は光漏れを防止可能な濃度を具備するリングである光漏れ防止リングであって、上記地図シートに印刷されている地図において表示灯が表示されている表示位置に設けられている光漏れ防止リングとを有することを特徴とする地図式表示盤である。
【００１０】
本発明は、地図式の表示部を有する地図式表示盤において、開口部を有する筐体と、透明の保護板とともに上記開口部に配置され、地図表示され、上記地図における所定の位置に表示灯が表示されている地図シートと、中心から放射方向に向かって、遮光率が次第に高くなっているマークである表示灯マークと、上記地図シートの背面側に配置されている取付板であって、上記地図シートに表示されている表示灯マークの位置に対応する位置に表示灯が取り付けられ、上記表示灯マークの中心部が、上記表示灯の発光領域内に位置するように、上記表示灯を取り付けている取付板とを有することを特徴とする地図式表示盤である。
【発明の効果】
【００１１】
請求項１記載の発明によれば、ＬＥＤ等の表示灯からの光が、火災感知器等を示す円形マーク等のマーク以外の位置を照らさないようにすることができ、しかも、表示灯の光量を減らす必要がなく、火災感知器等を示す円形マーク等のマークを人が認識するに充分な光を得ることができるという効果を奏する。
【００１２】
請求項２記載の発明によれば、ＬＥＤ等の表示灯の取り付け位置が、火災感知器等を示す円形マーク等のマークから多少ずれても、外観上で上記マークの中心の輝度が高いので、ＬＥＤの取付位置がずれていることが目立たないという効果を奏する。
【発明を実施するための最良の形態】
【００１３】
発明を実施するための最良の形態は、以下の実施例である。
【実施例１】
【００１４】
図１は、本発明の実施例１である地図式表示部１００を有する火災受信機ＲＥ１を示す正面図である。
【００１５】
火災受信機ＲＥ１の上部に、地図式表示部１００が設けられている。
【００１６】
図２は、地図式表示部１００を拡大して示す正面図である。
【００１７】
図３は、地図式表示部１００の構成を概念的に示す分解斜視図である。
【００１８】
地図式表示部１００は、表示灯取付板１０と、地図シート２０と、保護用透明アクリル３０とを有する。表示灯取付板１０は、ＡＢＳ樹脂等で構成され、表示灯Ｌを取り付ける透孔Ｈが設けられている。地図シート２０は、フィルムシートに地図が印刷されているシートである。
【００１９】
図４は、実施例１における地図式表示部１００の横断面図である。
【００２０】
火災受信機ＲＥ１の筐体Ｂ１のパネルＰ１に開口部４０が設けられ、開口部４０の縁に飾り枠ＦＬ１が設けられ、開口部４０に表示部１００が設けられている。この表示部１００は、表示灯取付板１０と地図シート２０と保護用透明アクリル３０とによって構成されている。保護用透明アクリル３０は、透明の保護板の例である。
【００２１】
具体的には、スタッド３１を介して、パネルＰ１に保護用透明アクリル３０が固定され、皿ビス１１を介して、固定枠５１に表示灯取付板１０が固定され、この表示灯取付板１０の表側にボタン止め１２を介して、地図シート２０が固定されている。固定枠５１は、兆番５２を介して、パネルＰ１の背面側にスイング状に移動可能に取付けられ、兆番５２の逆側において、当接板５３にネジ止めされて固定される。この固定状態において、地図シート２０が保護用アクリル３０に対向し、表示灯取付板１０と保護用透明アクリル３０との間に、図３に示すように、地図シート２０が位置している。
【００２２】
表示灯取付板１０に、透孔Ｈと、この透孔Ｈに嵌め込まれる表示灯Ｌとが設けられている。表示灯Ｌは、ＬＥＤ、ランプ等で構成されている。この表示灯Ｌの装着時には、図示しないリード線が引き出されているので、固定枠５１は、中央が開口された板状に形成されている。
【００２３】
表示灯Ｌの数は、任意である。透孔Ｈの数も、任意である。
【００２４】
表示灯取付板１０は、地図シート２０の背面側に配置され、地図シート２０において表示されている表示灯Ｌのそれぞれの位置に対応して、表示灯Ｌのそれぞれを挿入する透孔Ｈを具備する。
【００２５】
つまり、地図シート２０は、透明の保護板とともに上記開口部４０に配置され、地図表示されている地図シートであって、上記地図における所定の位置に表示灯Ｌが表示されている地図シートの例である。
【００２６】
表示灯取付板１０は、地図シート２０の背面側に配置されている取付板であって、上記地図シート２０に表示されている表示灯の位置に対応する位置に表示灯Ｌが取り付けられている取付板の例である。
【００２７】
図５は、本発明の実施例１である光漏れ防止リングＲを示す図である。
【００２８】
光漏れ防止リングＲは、地図シート２０に印刷されている地図において表示灯Ｌが表示されている表示位置に設けられ、たとえば、図７に示す地図シート２０における火災１、火災２、防火戸１、シャッタ２等の近傍の円形のマークで、リングＲの外周から中心方向に向かって、遮光率が次第に低くなるリングである。つまり、光漏れ防止リングＲは、濃淡が付与されることによって遮光率が変化し、リングＲの外周から中心方向に、濃度が薄くなっている。この濃度は、有彩色が着色されて濃度が薄くなっていても、また、無彩色で濃度が薄くなっていてもよい。
【００２９】
なお、光漏れ防止リングＲの外径は、表示灯Ｌとして用いられるＬＥＤの外径よりも大きい。そして、表示灯としてのＬＥＤの発光領域から減衰しても光る範囲を含んでいる。
【００３０】
内周部Ｒ１は、リングＲの内周部であり、外周部Ｒ３は、リングＲの外周部であり、帯の中間部Ｒ２は、リングＲにおいて、内周部Ｒ１の半径よりも長く、外周部Ｒ３の半径よりも短い位置の部分である。
【００３１】
図５（２）は、光漏れ防止リングＲの断面を示す概念図である。
【００３２】
図５（２）に示すように、内周部Ｒ１、中間部Ｒ２、外周部Ｒ３の順で遮光率が高く（透光率が低く）なっている。
【００３３】
図５（３）は、光漏れ防止リングＲの断面について、その遮光率を概念的にグラフ化した図である。
【００３４】
図５（３）に示すように、光漏れリングＲを設け、その外周部Ｒ３の遮光率を高く、しかも、光漏れ防止リングＲの外径（外周部Ｒ３の直径）が、表示灯Ｌの外径（表示灯Ｌの直径）よりも大きく、すなわち、表示灯ＬとしてのＬＥＤの発光領域がリングＲの外周部Ｒ３よりも内側にあり、その外側を濃度の濃い部分としているので、外周部Ｒ３から表示灯Ｌの光の漏れがなく、したがって、実施例１では、表示灯Ｌからの光漏れを確実に防止することができる。
【００３５】
なお、光漏れ防止リングＲは、円環状であるが、炎マークの外周を帯で囲むようなリング、つまり、円以外の環状帯であってもよい。また、内周部Ｒ１は、リングＲの中心部であってもよい。
【００３６】
なお、表示灯取付板１０とは別に、表示灯Ｌを電気的に接続し、点灯を制御する制御部として表示操作部ＤＯ１が制御する。
【実施例２】
【００３７】
図６は、本発明の実施例２である表示灯マークＭを示す図である。
【００３８】
表示灯マークＭは、地図シート２０に印刷されている地図において表示灯Ｌが表示されている表示位置に設けられ、上記実施例１と同様に、図７に示す地図シート上の円形のマークであり、リングＲと同様に、表示灯マークＭの中心から放射方向に向かって、遮光率が次第に高くなるマークである。つまり、表示灯マークＭは、濃淡が付与されることによって遮光率が変化し、マークＭの中心から放射方向に、濃度が濃くなっている。この濃度は、有彩色が着色されて濃度が濃くなっていても、また、無彩色で濃度が濃くなっていてもよい。
【００３９】
中心部Ｍ１は、マークＭの中心部であり、半径１ｍｍ以下の円であり、無色透明か、白色系の薄い乳白色（地図シート２０が印刷される前の色）である。
【００４０】
表示灯マークＭの外周部Ｍ３は、マークＭの外周部であり、帯の中間部Ｍ２は、マークＭにおいて、中心部Ｍ１の半径よりも長く、外周部Ｍ３の半径よりも短い位置の部分である。
【００４１】
なお、表示灯マークＭの外径は、表示灯Ｌの発光領域と重なるとともに、中心部Ｍ１が発光領域内になければならない。
【００４２】
図６（２）は、表示灯マークＭの断面を示す概念図である。
【００４３】
図６（２）に示すように、中心部Ｍ１、中間部Ｍ２、外周部Ｍ３の順で遮光率が高く（透光率が低く）なっている。
【００４４】
図６（３）は、表示灯マークＭの断面について、その遮光率を概念的にグラフ化した図である。
【００４５】
図６（３）に示すように、表示灯マークＭを設け、その外周部Ｍ３の遮光率が高く、しかも、中心部Ｍ１が透明または薄い乳白色であるので、表示灯Ｌの中心がずれて設置されたとしても、表示灯マークＭの中心部Ｍ１が最も光って見え、したがって、表示灯Ｌが本来の設置位置から多少ずれても、芯ずれが目立ち難い。
【００４６】
なお、表示灯マークＭは、円形であるが、炎マークのような非円形のマークであってもよい。
【００４７】
なお、図１〜図４に示す構成は、実施例２でも採用している構成である。
【００４８】
そして、上記各実施例である地図式の表示部が用いられる機器として、上記火災受信機以外に、火災表示機、総合操作盤または連動制御盤等があり、これらに上記各実施例を適用することができる。
【図面の簡単な説明】
【００４９】
【図１】本発明の実施例１である地図式表示部１００を有する火災受信機ＲＥ１を示す正面図である。
【図２】地図式表示部１００を拡大して示す正面図である。
【図３】地図式表示部１００の構成を概念的に示す分解斜視図である。
【図４】実施例１における地図式表示部１００の横断面図である。
【図５】本発明の実施例１である光漏れ防止リングＲを示す図である。
【図６】本発明の実施例２である表示灯マークＭを示す図である。
【図７】地図シート２０の具体例を示す図である。
【符号の説明】
【００５０】
ＲＥ１…火災受信機、
ＤＯ１…表示操作部、
Ｂ１…筐体、
１００…地図式表示部、
１０…表示灯取付板、
２０…地図シート、
３０…保護用透明アクリル、
３１…スタッド、
４０…開口部、
Ｐ１…パネル、
ＦＬ１…飾り枠、
Ｈ…取付用透孔、
Ｌ…表示灯、
Ｒ…光漏れ防止リング、
Ｒ１…内周部、
Ｒ２…中間部、
Ｒ３…外周部、
Ｍ…表示灯マーク、
Ｍ１…中心部、
Ｍ２…中間部、
Ｍ３…外周部。
【図１】
0004832050.tif 000002
【図２】
0004832050.tif 000003
【図３】
0004832050.tif 000004
【図４】
0004832050.tif 000005
【図５】
0004832050.tif 000006
【図６】
0004832050.tif 000007
【図７】
0004832050.tif 000008